(57)【特許請求の範囲】
【請求項１】
先端にペン先突出孔を有する外装体の外側に、この外装体に対する取付基部と中間部分である変形板部とこの変形板部の内側面に内方突部とを有するクリップを配置し、外装体の内部に、先端にペン先を有し内部にインクを収容するリフィール体をコイルスプリングによって後方付勢させた状態で前後動可能に収容し、操作部材を移動させることによってリフィール体もしくはリフィール体との連接部材を移動させて前記ペン先突出孔より前記ペン先を突出させ、前記リフィール体もしくはリフィール体と連接する部材の側面に係合部を突出させ、その係合部側部に係合乗り越え部と乗り上げ傾斜面を連続して形成すると共に、解除傾斜面を形成し、また、その係合部と係合する内方突部を前記クリップに形成し、これによって、前記リフィール体もしくはリフィール体と連接する部材を前記クリップの内方突部が乗り上げ傾斜面により案内され、横方向へと移動され、次いで、その横方向への移動により前記係合乗り越え部を乗り越え係合させることで前記ペン先を外装体からの突出状態を維持し、操作部材を再び移動させることで、前記リフィール体もしくはリフィール体との連接部材を前記クリップの内方突部を前記解除傾斜面に沿って縦方向へ移動させ、その移動によって前記係合を解除して、前記コイルスプリングの後方付勢力によってペン先を外装体内に収容する出没式筆記具において、前記クリップの内方突部と、前記リフィール体またはリフィール体と連接する部材の前記内方突部に対する係合部との、前記ペン先の突出係止のための係合を前記内方突部の乗り上げ傾斜面の案内による横方向への移動と係合乗り越え部による乗り越え係合によりなし、この乗り越え係合の乗り越え時に、前記操作部材の移動距離が前記突出孔よりペン先が突出する以前の移動途中距離であるよう前記外装体の先端位置を設定するとともに、この時、前記操作部材の移動抵抗荷重が最大値となるよう前記係合部の面と前記内方突部の突部分を形成したことを特徴とする出没式筆記具。
【発明の詳細な説明】
【０００１】
【発明の属する技術分野】
本発明は、先端にペン先突出孔を有する外装体の外側に、この外装体に対する取付基部と中間部分である変形板部とこの変形板部の内側面に内方突部とを有するクリップを配置し、外装体の内部に、先端にペン先を有し内部にインクを収容するリフィール体をコイルスプリングによって後方付勢させた状態で前後動可能に収容し、操作部材を移動させることによってリフィール体もしくはリフィール体との連接部材を移動させて前記ペン先突出孔より前記ペン先を突出させ、前記リフィール体もしくはリフィール体と連接する部材を前記クリップの内方突部と係合させることで前記ペン先を外装体からの突出状態を維持し、操作部材を再び移動させることで、前記係合を解除して、前記コイルスプリングの後方付勢力によってペン先を外装体内に収容する出没式筆記具に関する。
【０００２】
【従来の技術】
従来、ノック式ボールペンのような摺動する部材を有する出没式筆記具において、その摺動部材には、耐摩耗性が高く、かつ、摩擦係数が低くて滑り性のよい材質が使用されている。例えば、潤滑剤を含有したポリオキシメチレン樹脂等が使用され、ノック操作性が良く、ノック感も優れた筆記具になっている。また、できるだけ軽い力でペン先の出没操作が行えるよう、インク収容部材としてのリフィールを後方付勢するコイルスプリングの弾撥力も低い荷重値に設定されている。
【０００３】
【発明が解決しようとする課題】
上記のような従来技術にあっては、筆記具のノック操作性やノック感が良くなる反面、筆記使用後に、例えばポケットにこの筆記具を挿し込んでいる時、不用意にノック部材が押圧され、ペン先が突出して、衣服を汚してしまうという恐れがあった。また、出没式筆記具の操作性は、操作荷重が低ければよいというものでなく、操作による出没係止の確実性や操作した実感も要求されるものである。
【０００４】
【課題を解決するための手段】
本発明は、上記問題点に鑑みてなされたものであり、先端にペン先突出孔を有する外装体の外側に、この外装体に対する取付基部と中間部分である変形板部とこの変形板部の内側面に内方突部とを有するクリップを配置し、外装体の内部に、先端にペン先を有し内部にインクを収容するリフィール体をコイルスプリングによって後方付勢させた状態で前後動可能に収容し、操作部材を移動させることによってリフィール体もしくはリフィール体との連接部材を移動させて前記ペン先突出孔より前記ペン先を突出させ、前記リフィール体もしくはリフィール体と連接する部材の側面に係合部を突出させ、その係合部側部に係合乗り越え部と乗り上げ傾斜面を連続して形成すると共に、解除傾斜面を形成し、また、その係合部と係合する内方突部を前記クリップに形成し、これによって、前記リフィール体もしくはリフィール体と連接する部材を前記クリップの内方突部が乗り上げ傾斜面により案内され、横方向へと移動され、次いで、その横方向への移動により前記係合乗り越え部を乗り越え係合させることで前記ペン先を外装体からの突出状態を維持し、操作部材を再び移動させることで、前記リフィール体もしくはリフィール体との連接部材を前記クリップの内方突部を前記解除傾斜面に沿って縦方向へ移動させ、その移動によって前記係合を解除して、前記コイルスプリングの後方付勢力によってペン先を外装体内に収容する出没式筆記具において、前記クリップの内方突部と、前記リフィール体またはリフィール体と連接する部材の前記内方突部に対する係合部との、前記ペン先の突出係止のための係合を前記内方突部の乗り上げ傾斜面の案内による横方向への移動と係合乗り越え部による乗り越え係合によりなし、この乗り越え係合の乗り越え時に、前記操作部材の移動距離が前記突出孔よりペン先が突出する以前の移動途中距離であるよう前記外装体の先端位置を設定するとともに、この時、前記操作部材の移動抵抗荷重が最大値となるよう前記係合部の面と前記内方突部の突部分を形成したことを要旨とする。
【０００５】
【実施例】
図１乃至図９に一例を示し説明する。軸筒１の前方には、前軸２が螺着などにより着脱自在に取り付けられている（以下、図中上方を後方といい、下方を前方という）。前記前軸２には軟質の樹脂やゴム材などよりなるグリップ３が固着されており、また、前記前軸２の内側にはコイルスプリングなどの弾撥部材４がその前端を前軸２の内孔に狭持されて取り付けられている。前記軸筒１の内側には、ボールペンや修正具などの筆記体のリフィール５が前記弾撥部材４によって後方に付勢され且つ前後動自在に配置されている。軸筒１の後方には、押圧体６が前後動自在に取り付けされている。
図１はリフィール５のペン先５ａを収納した状態、図２はペン先５ａが前軸２より突出した状態である。尚、各図においては、軸筒１内にボールペンや修正具などの筆記体のリフィル５を配置したものを図示しているが、シャープペンシルや、シャープの中軸ユニットを軸筒１内に配置したものであってもよい。
【０００６】
図４はペン先の突出係止構造部分である後部のみを拡大した図面としてある。前記軸筒１には浮子７と高粘度流体７ａによりインクを内封したリフィール５が配置され、このリフィール５の後端に摺動筒部８と係合凸部９を有する押圧体６が当接している。軸筒１には横孔１ａが形成され、前記係合凸部９がこの横孔１ａに前後摺動自在に嵌入している。また、軸筒１にはクリップ１０が取り付けられ、このクリップ１０には、前記係合凸部９が係合する玉１０ａが設けられている。
尚、係合凸部９と玉１０ａの前後位置は、後述するが、係合凸部９の乗り上げ傾斜面がクリップ１０の玉１０ａに当接し、乗り上げ傾斜面と玉１０ａとの乗り上げ接触により移動抵抗荷重が急激に上昇し最大値に至る時に、リフィール５のペン先５ａの先端が前軸２の先端より未だ突出していない状態になっているように寸法設定されている。
【０００７】
図３のもののペン先収容状態から、ペン先突出係止状態を経て再びペン先収容状態に戻るまでの係合凸部９と玉１０ａとの位置関係を図５に示す。７つの場面に分けた斜視図として示してある（係合凸部９とクリップ１０の玉１０ａのみを図３の背面側より視た図としてある）。Ｎｏ．１の場面が初期のペン先収容状態、Ｎｏ．２が押圧体６を移動させて係合凸部９と玉１０ａとが当接した状態、Ｎｏ．３、Ｎｏ．４は押圧体６の移動の状態、Ｎｏ．５が係合凸部９と玉１０ａとが係合してペン先突出状態を維持した状態、Ｎｏ．６がペン先を収容しようとして押圧体６を更に移動させ、係合解除がなされた状態で、Ｎｏ．７は弾撥部材４の弾撥力にて再びＮｏ．１の状体に戻るものである。
【０００８】
係合突部９は、ペン先突出係合時に、玉１０ａを乗り越える横方向に突出した係合乗り越え部１１を有し、玉１０ａと最初に当接する面である乗り上げ傾斜面１１ａを有している。この乗り上げ傾斜面１１ａによって係合凸部９が玉１０ａを乗り越える時の偏位角度が決定される。本例では４５°に設定してある。また、たま１０ａはＮｏ．２の状態で乗り上げ斜面１１ａと玉１０ａの角部が当接した線接触となっている。
【０００９】
次に、図５乃至図９に基いて作用を説明する。図３の状態より、弾撥部材４の弾撥力に抗して押圧体６を前方に移動させると、押圧体６の移動抵抗荷重が徐々に増加する（図５Ｎｏ．１、図６（１）、図７参照）。押圧体６の移動を続けると、前記係合凸部９の乗り上げ傾斜面１１ａがクリップ１０の玉１０ａに当接する。更に移動を続けると、乗り上げ傾斜面と玉１０ａとの乗り上げ接触により移動抵抗荷重が急激に上昇し最大値に至る。この時、リフィール５のペン先５ａの先端は、前軸２の先端より未だ突出していない状態になっている（図５Ｎｏ．２，３、図６（２）、図８参照）。
続けて更に押圧体６の移動を続けると、ペン先５ａが前軸２の先端より突出するが、前記乗り上げ斜面１１ａと玉１０ａとの乗り上げ接触は終了しているので、移動抵抗荷重は弾撥体４の弾撥力に応じたものとなっている（図５Ｎｏ．３，４、図６（３）、図９参照）。ここで、押圧体６の押圧を解除すると係合凸部９と玉１０ａが係合してペン先５ａの突出状態が維持される（図５Ｎｏ．５参照）。ペン先５ａを突出状態より収納状態にするためには、再び押圧体６を前方に移動させて係合凸部９と玉１０ａの係合を解除せしめる（図５Ｎｏ．６，７参照）。尚、ペン先５ａの収納時の押圧体６の移動抵抗荷重は図６における（３）の荷重を越えない範囲の荷重である。
【００１０】
【発明の効果】
本発明は、先端にペン先突出孔を有する外装体の外側に、この外装体に対する取付基部と中間部分である変形板部とこの変形板部の内側面に内方突部とを有するクリップを配置し、外装体の内部に、先端にペン先を有し内部にインクを収容するリフィール体をコイルスプリングによって後方付勢させた状態で前後動可能に収容し、操作部材を移動させることによってリフィール体もしくはリフィール体との連接部材を移動させて前記ペン先突出孔より前記ペン先を突出させ、前記リフィール体もしくはリフィール体と連接する部材の側面に係合部を突出させ、その係合部側部に係合乗り越え部と乗り上げ傾斜面を連続して形成すると共に、解除傾斜面を形成し、また、その係合部と係合する内方突部を前記クリップに形成し、これによって、前記リフィール体もしくはリフィール体と連接する部材を前記クリップの内方突部が乗り上げ傾斜面により案内され、横方向へと移動され、次いで、その横方向への移動により前記係合乗り越え部を乗り越え係合させることで前記ペン先を外装体からの突出状態を維持し、操作部材を再び移動させることで、前記リフィール体もしくはリフィール体との連接部材を前記クリップの内方突部を前記解除傾斜面に沿って縦方向へ移動させ、その移動によって前記係合を解除して、前記コイルスプリングの後方付勢力によってペン先を外装体内に収容する出没式筆記具において、前記クリップの内方突部と、前記リフィール体またはリフィール体と連接する部材の前記内方突部に対する係合部との、前記ペン先の突出係止のための係合を前記内方突部の乗り上げ傾斜面の案内による横方向への移動と係合乗り越え部による乗り越え係合によりなし、この乗り越え係合の乗り越え時に、前記操作部材の移動距離が前記突出孔よりペン先が突出する以前の移動途中距離であるよう前記外装体の先端位置を設定するとともに、この時、前記操作部材の移動抵抗荷重が最大値となるよう前記係合部の面と前記内方突部の突部分を形成したので、筆記使用後に、例えばポケットにこの筆記具を挿し込んでいる時、不用意にノック部材が押圧され、ペン先が突出して、衣服を汚してしまうという恐れもなく、また、操作による出没係止の確実性や操作した実感も同時に得られるものである。
【図面の簡単な説明】
【図１】  本発明を示す外観図。
【図２】  本発明を示す外観図。
【図３】  図１のＡ−Ａ部分断面図
【図４】    図１の後部のみを拡大した縦断面図。
【図５】  係合凸部９と玉１０ａとの位置関係を示す部分斜視図。
【図６】  作用を説明する図。
【図７】  作用を説明する図。
【図８】  作用を説明する図。
【図９】  作用を説明する図。
【符号の説明】
１        軸筒
１ａ    横孔
２        前軸
３        グリップ
４        弾撥部材
５        リフィール
６        押圧体
７        浮子
７ａ    高粘度流体
８        摺動筒部
９        係合凸部
１０        クリップ
１０ａ    玉
１１        係合乗り越え部
１１ａ    乗り上げ傾斜面
【図１】
0004479031.tif 000002
【図２】
0004479031.tif 000003
【図３】
0004479031.tif 000004
【図４】
0004479031.tif 000005
【図５】
0004479031.tif 000006
【図６】
0004479031.tif 000007
【図７】
0004479031.tif 000008
【図８】
0004479031.tif 000009
【図９】
0004479031.tif 000010